(57)【要約】      （修正有）【課題】後幕を電磁石により保持してライブビュー状態を作り出すカメラにおいて、セルフタイマー撮影やリモコン撮影時等において、所謂切れ特性の変化による露光ムラの発生を抑制する。【解決手段】撮像装置は、光電変換する撮像素子により画像を撮像する撮像手段と、先幕及び後幕の走行を制御して撮像素子を露光するシャッター手段と、先幕及び後幕を電磁力により走行不可状態に保持可能なチャージ手段と、撮像手段により撮像された画像をリアルタイムに表示可能な表示手段と、撮影者が撮像装置に接触せずに撮影開始の指示を行うことを可能にする撮影制御手段と、を有し、撮影制御手段による撮像開始の指示がなされると、撮像手段により撮像が開始される前に、シャッター手段は後幕の走行不可状態を解除し、表示手段は画像の表示を停止し、チャージ手段は、前記撮像手段により撮像が開始される前に、先幕及び後幕をチャージする。【選択図】図６
2008278336.tif 000002
【特許請求の範囲】
【請求項１】
被写体像を受光して光電変換する撮像素子により画像を撮像する撮像手段と、
先幕及び後幕の走行を制御して前記撮像素子を露光するシャッター手段と、
前記先幕及び前記後幕を走行可能な状態にチャージすると共に、チャージされた前記先幕及び前記後幕を電磁力により走行不可状態に保持可能なチャージ手段と、
前記後幕を走行不可状態として前記撮像手段により撮像された画像をリアルタイムに表示可能な表示手段と、
撮影者が撮像装置に接触せずに撮影開始の指示を行うことを可能にする撮影制御手段と、を有し、
前記撮影制御手段による撮像開始の指示がなされると、前記撮像手段により撮像が開始される前に、前記シャッター手段は前記後幕の走行不可状態を解除し、前記表示手段は前記画像の表示を停止し、
前記チャージ手段は、前記撮像手段により撮像が開始される前に、前記先幕及び前記後幕をチャージすることを特徴とする撮像装置。
【請求項２】
前記撮影制御手段は、前記撮影者が遠隔操作により前記撮像装置に撮像開始の指示を行う遠隔操作手段を有することを特徴とする請求項１に記載の撮像装置。
【請求項３】
前記撮影制御手段は、タイマー操作により前記撮像装置に撮影開始の指示を行うタイマー操作手段を有することを特徴とする請求項１に記載の撮像装置。
【請求項４】
被写体像を受光して光電変換する撮像素子により画像を撮像する撮像手段と、先幕及び後幕の走行を制御して前記撮像素子を露光するシャッター手段と、前記先幕及び前記後幕を走行可能な状態にチャージすると共に、チャージされた前記先幕及び前記後幕を電磁力により走行不可状態に保持可能なチャージ手段と、前記後幕を走行不可状態として前記撮像手段により撮像された画像をリアルタイムに表示可能な表示手段と、撮影者が撮像装置に接触せずに撮影開始の指示を行うことを可能にする撮影制御手段と、を有する撮像装置の制御方法であって、
前記撮影制御手段による撮像開始の指示がなされると、前記撮像手段により撮像が開始される前に、前記シャッター手段が前記後幕の走行不可状態を解除し、前記表示手段が前記画像の表示を停止するステップと、
前記撮像手段により撮像が開始される前に、前記チャージ手段が前記先幕及び前記後幕をチャージするステップと、を有することを特徴とする撮像装置。
【発明の詳細な説明】
【技術分野】
【０００１】
本発明は、画像をリアルタイムに表示可能なライブビュー状態での遠隔撮影制御技術に関するものである。
【背景技術】
【０００２】
近年、撮影光学系によって結像された被写体像をＣＣＤセンサやＣＭＯＳセンサ等の撮像素子を利用して電気信号に光電変換し、これにより得られた撮像信号を記録媒体等に記録するように構成されたデジタルカメラが広く普及している。
【０００３】
このデジタルカメラの特徴の一つとして、撮影に先立って、撮像素子で取得した被写体の画像をリアルタイムにカメラの背面等に設けられた液晶モニタに表示させる機能、所謂ライブビューがある。例えば光学ファインダーを用いて撮影する場合、被写体が暗いと撮影画角を確認できないが、ライブビューでは液晶モニタへの表示の明るさを変更することで確認が可能となる。また、被写体のピントを確認する場合にも、ライブビューではピントを確認したい部分を拡大表示可能であるため、光学ファインダーに比べてより詳細なピント確認ができるといった利点がある。
【０００４】
デジタル一眼レフカメラでは、被写体像を光学ファインダーで観察するために撮影光束を光学ファインダー側に折り曲げるクイックリターンミラー（以下、ミラー）をアップさせる。そして、先幕及び後幕で構成されるフォーカルプレーンシャッター（以下、メカニカルシャッター）の先幕を走行完了させた状態で後幕を保持し、所謂、バルブ状態（走行不可状態）としてライブビューを可能とする技術が知られている（特許文献１参照）。
【０００５】
一方、上記ライブビュー状態において静止画撮影を行う場合は、撮像素子の画素の電荷蓄積開始走査を行う、所謂電子シャッターを駆動した後、上記後幕の保持を解除（後幕走行）して撮影可能とするカメラが知られている（特許文献２参照）。
【０００６】
現状のメカニカルシャッターは、先幕（先羽根）と後幕（後羽根）をバネにより走行させるように構成されている。そして、先幕と後幕がバネ等の付勢力で付勢されて走行可能なチャージ状態に抗して電磁石により吸着保持し（チャージ手段）、先幕と後幕の走行開始指令に応じて各電磁石への通電を順次停止して吸着保持を解除することで、先幕と後幕を順次走行させる。
【０００７】
また、現状のデジタルカメラの多くはセルフタイマーによる撮影制御が可能である。撮影者がセルフタイマー操作を行うと、カメラは所定時間経過後に撮影動作を行い、集合写真等で撮影者が撮影指示してから撮影動作までの所定時間内にカメラの撮影範囲内に移動することが可能である。
【０００８】
また、現状のデジタルカメラは、リモートコントローラ（以下、リモコン）等による遠隔操作により撮影制御が可能である。撮影者がカメラをリモコン撮影モードに設定すると、カメラはリモコンからの撮影指示を待機する状態になる。撮影者がリモコンにより撮影指示を行うと、カメラは撮影指示から所定時間経過後に撮影動作を行うことが可能である。
【０００９】
更に、撮像素子により撮像した画像をリアルタイムに液晶モニタに表示する、所謂、電子ビューファインダーを備えたカメラに、撮影者がカメラから離れて撮影開始を指示可能なセルフタイマー等の遠隔撮影機能を搭載したものがある。そして、この遠隔撮影機能により撮影を行う場合に電子ビューファインダーを動作させるのは電力を無駄に消費させるため、この電子ビューファインダーの動作を不可とするカメラがある（特許文献３参照）。
【００１０】
また、撮影者が光学ファインダーにて被写体像を観察していることを検知し、その場合には電子ビューファインダーでの画像の表示を停止させるカメラがある（特許文献４参照）。これによると、撮影者が光学ファインダーにより被写体を観察しているとき、或いはセルフタイマー撮影時やリモコン撮影時等の撮影者自身が被写体となる状況、つまり撮影者が電子ビューファインダーによる観察ができない状況での無駄な電力消費を抑制できる。
【特許文献１】特開２００６-０３３７０５号公報
【特許文献２】特開平１１-０４１５２３号公報
【特許文献３】特開２００３−２５００６９号公報
【特許文献４】特開平０６−１６５０２２号公報
【発明の開示】
【発明が解決しようとする課題】
【００１１】
しかしながら、上記ライブビューのためにメカニカルシャッターをバルブ状態にするには、後幕を吸着保持する電磁石への通電を継続する必要があり、このように電磁石への通電を続けると、電磁石の温度は相当な温度まで上昇してしまう。このメカニカルシャッターの電磁石の温度上昇は、電磁石の通電を停止してから吸着保持を解除し、実際に後幕が走行するまでの時間等の特性の変化、所謂切れ特性の変化を生じさせる。そして、通常の撮影を行う場合にも、上記ライブビュー時に電磁石による保持がされていない先幕との間に切れ特性の差が生じ、後幕の走行精度が悪化して露光量（時間）のムラ（以下、露光ムラ）を引き起こしてしまうことがある。
【００１２】
また、特許文献１では、天体写真の撮影を主眼としており、電磁石の熱によるノイズが画像画面内に写り込むことを防止するためにライブビュー状態を所定時間以上継続しないように制御している。また、メカニカルシャッターの温度が所定の基準値を超えたことが検出されると、ライブビュー状態を中止するように制御している。しかしながら、露光制御はメカニカルシャッターによるもので電子シャッター等については一切記述されていない。特に、特許文献１におけるライブビューとは、所謂バルブ撮影であって、ライブビュー状態からの静止画撮影やライブビュー状態からのセルフタイマー撮影等については一切記述されていない。
【００１３】
また、特許文献２では、ライブビュー状態からの静止画撮影において、メカニカルシャッターの走行速度の変化に対する露光ムラ補正と、撮影指示から実際に後幕が走行を開始するまでの時間（レリーズタイムラグ）のバラツキによる露光ムラ補正を行っている。しかしながら、上記切れ特性の変化に関する対策に関する記述は一切されていない。
【００１４】
また、特許文献３及び４には、ライブビュー状態でのセルフタイマー撮影時に電子ビューファインダーでの表示を制限することが記載されている。しかしながら、ライブビュー状態におけるセルフタイマー設定後の後幕の動作や撮影動作については一切記述されていない。
【００１５】
つまり、後幕を電磁石により保持可能としてライブビュー状態を作り出すカメラにおいて、セルフタイマー撮影時やリモコン撮影時の後幕の保持動作や撮影動作に着目した従来技術は見当たらない。
【００１６】
本発明は、上記課題に鑑みてなされ、後幕を電磁石により保持してライブビュー状態を作り出すカメラにおいて、セルフタイマー撮影やリモコン撮影時等において、所謂切れ特性の変化による露光ムラの発生を抑制する技術を実現するものである。
【課題を解決するための手段】
【００１７】
上記課題を解決するために、上記課題を解決するため、本発明の撮像装置は、被写体像を受光して光電変換する撮像素子により画像を撮像する撮像手段と、先幕及び後幕の走行を制御して前記撮像素子を露光するシャッター手段と、前記先幕及び前記後幕を走行可能な状態にチャージすると共に、チャージされた前記先幕及び前記後幕を電磁力により走行不可状態に保持可能なチャージ手段と、前記後幕を走行不可状態として前記撮像手段により撮像された画像をリアルタイムに表示可能な表示手段と、撮影者が撮像装置に接触せずに撮影開始の指示を行うことを可能にする撮影制御手段と、を有し、前記撮影制御手段による撮像開始の指示がなされると、前記撮像手段により撮像が開始される前に、前記シャッター手段は前記後幕の走行不可状態を解除し、前記表示手段は前記画像の表示を停止し、前記チャージ手段は、前記撮像手段により撮像が開始される前に、前記先幕及び前記後幕をチャージする。
【００１８】
また、本発明の撮像装置の制御方法は、被写体像を受光して光電変換する撮像素子により画像を撮像する撮像手段と、先幕及び後幕の走行を制御して前記撮像素子を露光するシャッター手段と、前記先幕及び前記後幕を走行可能な状態にチャージすると共に、チャージされた前記先幕及び前記後幕を電磁力により走行不可状態に保持可能なチャージ手段と、前記後幕を走行不可状態として前記撮像手段により撮像された画像をリアルタイムに表示可能な表示手段と、撮影者が撮像装置に接触せずに撮影開始の指示を行うことを可能にする撮影制御手段と、を有する撮像装置の制御方法であって、前記撮影制御手段による撮像開始の指示がなされると、前記撮像手段により撮像が開始される前に、前記シャッター手段が前記後幕の走行不可状態を解除し、前記表示手段が前記画像の表示を停止するステップと、前記撮像手段により撮像が開始される前に、前記チャージ手段が前記先幕及び前記後幕をチャージするステップと、を有する。
【発明の効果】
【００１９】
本発明によれば、ライブビュー状態からセルフタイマー撮影やリモコン撮影等を行う場合に、撮影開始指示がなされた場合には、すぐさまメカニカルシャッターの後幕を走行させてライブビュー状態を停止させ、撮影直前にメカニカルシャッターをチャージする。このように、遠隔操作により撮影開始指示がなされた後、実際に撮像が開始される前に、電磁石への通電を停止して後幕の保持状態を一旦解除することにより、熱による切れ特性の変化を抑え、露光ムラの発生を抑制することができる。
【発明を実施するための最良の形態】
【００２０】
以下に、添付図面を参照して本発明を実施するための最良の形態について詳細に説明する。
【００２１】
尚、以下に説明する実施の形態は、本発明を実現するための一例であり、本発明が適用される装置の構成や各種条件によって適宜修正又は変更されるべきものであり、本発明は以下の実施の形態に限定されるものではない。
【００２２】
［デジタル一眼レフカメラの機械的構成］
先ず、図１を参照して、本発明に係る実施形態のデジタル一眼レフカメラの機械的構成について説明する。
【００２３】
図１において、１はカメラ本体、２は後述の撮影レンズ３をカメラ本体１に着脱可能とするためのマウントであり、各種信号を通信したり、電力を供給するためのインターフェース（Ｉ／Ｆ）部を有する。
【００２４】
３は交換可能な撮影レンズであり、内部にフォーカスレンズ群やズームレンズ群、不図示の絞り装置を有している。図１では各レンズ群を便宜上１枚のレンズで記述したが、実際には多数のレンズにより複雑なレンズ群の組み合わせで構成されている。
【００２５】
４はハーフミラーで構成された主ミラーであり、カメラの動作状態に応じて回動可能に設けられている。即ち、主ミラー４は、被写体をファインダーで観察する時は撮影光路へ斜設され、撮影レンズ３からの光束を折り曲げて後述のファインダー光学系へ導く（ミラーダウン状態）。また、撮影する時は撮影光路から退避して、撮影レンズ３からの光束を後述の撮像素子６へ導く（ミラーアップ状態）。
【００２６】
５は撮影レンズ３からの光束を後述の撮像素子６に入射制御するためのメカニカルシャッターであり、詳細は後述する。
【００２７】
６は被写体の光学像を光電変換するＣＭＯＳセンサ等からなる撮像素子である。
【００２８】
尚、本発明は上記メカニカルシャッター５及び電子シャッターを併用して撮像動作を行うデジタル一眼レフカメラである。上記撮像素子６は、画素毎或いはライン毎に画素をリセット（画素の蓄積電荷量をゼロにする走査）した後、画素毎或いはライン毎にそれぞれ所定時間を経過してから信号の読み出しの走査を行うように制御されることで電子シャッターを実現する。
【００２９】
７は主ミラー４と共に回動するサブミラーである。サブミラー７もハーフミラーで構成され、主ミラー４が撮影光路へ斜設されている時に主ミラー４を透過した光束を折り曲げて後述のＡＦセンサ８へ導く光束と、透過して後述の撮像素子６へ導く光束に分割する。
【００３０】
８はＡＦセンサであり、２次結像レンズや複数のＣＣＤセンサからなるエリアセンサ等から構成されており、周知の位相差検出方式により焦点検出を行う。
【００３１】
９は撮影レンズ３の１次結像面に配置されたピント板であり、入射面にはフレネルレンズ（集光レンズ）が設けられ、射出面には被写体像（ファインダー像）が結像している。
【００３２】
１０はファインダー光路変更用のペンタプリズムであり、ピント板９の射出面に結像した被写体像を正立正像に補正する。
【００３３】
１１，１２は接眼レンズである。ここで、ピント板９、ペンタプリズム１０、接眼レンズ１１，１２により構成されている光学系をファインダー光学系と呼ぶ。
【００３４】
１３はＡＥセンサであり、多分割された撮影画面内の各領域に対応したフォトダイオードから構成されており、ピント板９の射出面に結像した被写体像の輝度を測定する。
【００３５】
１４は撮影した画像や各種の撮影情報を表示する液晶モニタである。
【００３６】
［メカニカルシャッターの構成］
次に、図２及び図３を参照して、メカニカルシャッターの詳細構成について説明する。
【００３７】
図２はメカニカルシャッター５の正面図であり、５１は撮影光束を通過させるアパーチャー５１ａを有するシャッター地板、５２はメカニカルシャッター５を駆動するためのバネをチャージするためのチャージレバーである。
【００３８】
５３はメカニカルシャッター５の先幕を駆動する先幕駆動レバーで、同一回転軸上に不図示の先幕駆動バネが設けられている。
【００３９】
５４は先幕駆動レバー５３に固定された先幕アマチャー、５５は先幕アマチャー５４を先幕駆動レバー５３に固定する先幕アマチャー軸である。５６は先幕アマチャー軸５５と先幕駆動レバー５３の間に存在し衝撃を吸収する先幕吸収ゴム、５７は先幕アマチャー５４を電磁力により保持する先幕ヨーク（電磁石）である。５８は先幕ヨーク５７に電磁力を発生させる先幕コイル、５９は先幕コイル５８を保持する先幕ボビンである。
【００４０】
６１はメカニカルシャッター５の後幕を駆動する後幕駆動レバーで、同一回転軸上に不図示の後幕駆動バネが設けられている。６２は後幕駆動レバー６１に固定される後幕アマチャー、６３は後幕アマチャー６２を後幕駆動レバー６１に固定する後幕アマチャー軸である。６４は後幕アマチャー軸６３と後幕駆動レバー６１の間に存在し衝撃を吸収する後幕吸収ゴム、６５は後幕アマチャー６２を電磁力により保持する後幕ヨーク（電磁石）である。６６は後幕ヨーク６５に電磁力を発生させる後幕コイル、６７は後幕コイル６６を保持する後幕ボビンである。
【００４１】
図３はメカニカルシャッター５の背面図であり、１０１はメカニカルシャッター５の先幕を構成する先羽根群を保持する先幕アームで、先幕駆動レバー５３の足部５３ａと係合し、先幕駆動レバー５３と連動して回転中心１０１ａを中心に回動する。
【００４２】
１０２は先羽根群を保持すると共に、先幕アーム１０１と連動し、回転中心１０２ａを中心に回動する先幕従動アームである。１０３，１０４，１０５，１０６は先幕アーム１０１と先幕従動アーム１０２に保持され連動して動作する先羽根で、先幕（先羽根群）１５０を構成している。
【００４３】
１１１はメカニカルシャッター５の後幕を構成する後羽根群を保持する後幕アームで、後幕駆動レバー６１の足部６１ａと係合し、後幕駆動レバー６１と連動して回転中心１１１ａを中心に回動する。
【００４４】
１１２は後羽根群を保持すると共に、後幕アーム１１１と連動し、回転中心１１２ａを中心に回動する後幕従動アームである。１１３，１１４，１１５，１１６は後幕アーム１１１と後幕従動アーム１１２に保持され連動して動作する後羽根で、後幕（後羽群）１６０を構成している。
【００４５】
［デジタル一眼レフカメラの電気的構成］
次に、図４を参照して、本実施形態のデジタル一眼レフカメラの電気的構成について説明する。
【００４６】
図４において、２０はカメラ全体の制御を行うマイクロコンピュータ（中央演算処理装置（以下、ＭＰＵ））である。２１は画像データの各種制御を行うメモリコントローラ、２２は各種制御を行うための設定情報等を格納しているＥＥＰＲＯＭである。
【００４７】
２３は撮影レンズ３内にあるレンズ制御回路であり、マウント２を介してＭＰＵ２０と接続されており、後述の各情報に基づいてフォーカスレンズの焦点調節（合焦駆動）や絞り駆動を行う。
【００４８】
２４は焦点検出回路であり、ＡＦセンサ８のエリアセンサの蓄積制御と読み出し制御を行って、各測距点の画素情報をＭＰＵ２０に出力する。
【００４９】
ＭＰＵ２０は各測距点の画素情報を周知の位相差検出方式による焦点検出を行い、検出した焦点距離情報を前述のレンズ制御回路２３へ送出してフォーカスレンズの焦点調節を行わせる。この焦点検出から焦点調節までの一連の動作をオートフォーカス（以下、ＡＦ）動作と呼ぶ。
【００５０】
２５は測光回路であり、ＡＥセンサ１３の各領域からの輝度信号をＭＰＵ２０に出力する。ＭＰＵ２０は、輝度信号をＡ／Ｄ変換して被写体の測光情報とし、この測光情報を用いて撮影露出を演算し設定する。この測光情報を得てから撮影露出の設定までの一連の動作をＡＥ動作と呼ぶ。
【００５１】
２６はモータ駆動回路であり、主ミラー４を駆動する不図示のモータやメカニカルシャッター５のチャージを行う不図示のモータを制御する。
【００５２】
２７はシャッター駆動回路であり、メカニカルシャッター５の先幕１５０をチャージ状態で保持する先幕コイル５８と後幕１６０をチャージ状態で保持する後幕コイル６６への電力供給を制御する。
【００５３】
２８は電源２９の電圧を各回路に必要な電圧に変換するＤＣ/ＤＣコンバータである。
【００５４】
３０はＭＯＤＥボタンであり、このボタンを操作したまま後述の電子ダイヤル３２を操作すると、そのカウントに応じて撮影モードが変更され、操作をやめると決定される。
【００５５】
３１はレリーズボタンであり、第１ストローク（半押し）操作でＯＮし、測光（ＡＥ）、ＡＦ動作を開始させるためのスイッチであるＳＷ１の信号をＭＰＵ２０へ出力する。また、レリーズボタン３１は、レリーズボタンの第２ストローク（全押し）操作でＯＮし、露光動作を開始させるためのスイッチであるＳＷ２の信号をＭＰＵ２０へ出力する。
【００５６】
３２は電子ダイヤルであり、ダイヤルの回転クリックに応じたＯＮ信号がＭＰＵ２０内の不図示のアップダウンカウンタに出力され、その数がカウントされる。このカウントに応じて各種の数値やデータ等の選択が行われる。３３は電源ボタンであり、操作するとカメラの電源がＯＮ／ＯＦＦされる。
【００５７】
４０は撮像素子６から出力される画像信号をサンプルホールド及び自動ゲイン調整するＣＤＳ（相関２重サンプリング）／ＡＧＣ（自動ゲイン調整）回路である。
【００５８】
４１はＣＤＳ／ＡＧＣ回路４０のアナログ出力をデジタル信号に変換するＡ／Ｄ変換器である。
【００５９】
４２はＴＧ（タイミング発生）回路であり、撮像素子６に駆動信号、ＣＤＳ／ＡＧＣ回路４０にサンプルホールド信号、Ａ／Ｄ変換器４１にサンプルクロック信号をそれぞれ供給する。ここで、メモリコントローラ２１は、撮像素子６から出力される画像信号をＣＤＳ／ＡＧＣ回路４０及びＡ／Ｄ変換器４１を介して入力し、コントラスト検出方式により被写体像の焦点検出を行うことが可能である。
【００６０】
４３はＡ／Ｄ変換器４１でデジタル信号に変換された画像データ等を一時的に記録するためのＳＤＲＡＭ、４４は画像をＹ／Ｃ（輝度信号／色差信号）分離、ホワイトバランス補正、γ補正等を行う画像処理回路である。４５は画像をＪＰＥＧ等の形式に従って圧縮し、圧縮された画像の伸張を行う画像圧縮／伸張回路である。ここで、メモリコントローラ２１は、撮像素子６から出力される画像信号を画像処理回路４４で画像処理することにより、被写体の測光情報を取得可能である。
【００６１】
４６はＳＤＲＡＭ４３や後述するメディア４８に記録された画像を液晶モニタ１４に表示するために、画像をアナログ信号に変換するＤ／Ａ変換器である。４７は画像を記録保存するためのメディア４８とのＩ／Ｆである。
【００６２】
［基本動作］
次に、図５のフローチャートを参照して、本実施形態のデジタル一眼レフカメラの基本動作について説明する。
【００６３】
Ｓ１０１では、電源ボタン３３を操作してカメラの電源をＯＮする。
【００６４】
Ｓ１０２では、各種ボタンを操作してカメラの各種設定を行う。ここでは、ＭＯＤＥボタン３０を操作して撮影モードをシャッタースピード優先ＡＥに設定し、続いて電子ダイヤル３２を操作してシャッタースピードの設定を行う。
【００６５】
Ｓ１０３では、ライブビューモードがＯＮされているか判定し、ＯＮされていなければ通常ルーチンのＳ１０４へ進む。ライブビューモードがＯＮされていればＳ１１９でセルフタイマー撮影モードか否かの判定を行い、セルフタイマー撮影モードがＯＮされていれば図６で後述するライブビュー／セルフタイマー撮影ルーチンへ進む。また、セルフタイマー撮影モードがＯＮされていなければ、所定のライブビュー通常撮影ルーチンに進む。ここでのライブビュー通常撮影ルーチンについては省略する。
【００６６】
なお、ライブビュー機能の起動に関しては、ライブビューを起動させるための専用ボタン（ライブビュー起動ボタン）や、スイッチライブビュー機能を有効にするよう割り当てられたボタンを押すことで起動してもよい。また、メニュー画面などで機能を有効にすることで起動してもよい。
【００６７】
Ｓ１０４では、レリーズボタン３１を半押ししてＳＷ１をＯＮする。
【００６８】
Ｓ１０５では、焦点検出回路２４によりＡＦセンサ８のエリアセンサの蓄積制御と読み出し制御を行って、各測距点の画素情報をＭＰＵ２０に出力する。ＭＰＵ２０は各測距点の画素情報を周知の位相差検出方式による焦点検出を行い、検出した焦点距離情報を前述のレンズ制御回路２３へ送出してフォーカスレンズの焦点調節を行う。この焦点距離情報を得てからフォーカスレンズの焦点調節までの一連の動作がＡＦ動作である。
【００６９】
Ｓ１０６では、測光回路２５によりＡＥセンサ１３の各領域からの輝度信号をＭＰＵ２０に出力する。ＭＰＵ２０は、輝度信号をＡ／Ｄ変換して被写体の測光情報とし、この測光情報を用いて撮影露出を演算し設定する。この測光情報を得てから撮影露出の設定までの一連の動作がＡＥ動作である。
【００７０】
Ｓ１０７では、レリーズボタン３１が全押しされて、ＳＷ２がＯＮされたか判定し、ＯＮされていればＳ１０８へ進み、ＯＮされていなければＳ１０４へ進む。
【００７１】
Ｓ１０８では、演算された撮影露出に従って、レンズ制御回路２３により撮影レンズ３の絞りを駆動する。
【００７２】
Ｓ１０９では、シャッター駆動回路２７により先幕コイル５８及び後幕コイル６６に対する通電制御を行い、通電されると先幕ヨーク５７と先幕アマチャー５４、後幕ヨーク６５と後幕アマチャー６２がそれぞれ互いに吸着される。
【００７３】
Ｓ１１０では、モータ駆動回路２６によりモータを通電制御し、チャージレバー５２を駆動してメカニカルシャッター５をチャージ状態から解除する。この解除時のメカニカルシャッター５の様子を図２、図３に示す。
【００７４】
Ｓ１１１では、モータ駆動回路２６によりモータを制御し、主ミラー４とサブミラー７を撮影光路から退避（ミラーアップ）させる。
【００７５】
Ｓ１１２では、メカニカルシャッター５の先幕１５０を走行させるため、シャッター駆動回路２７により先幕コイル５８の通電をＯＦＦする。その結果、先幕ヨーク５７で発生していた電磁力が消滅して先幕ヨーク５７と先幕アマチャー５４との電磁的な吸引がなくなり、先幕駆動レバー５３は不図示の先幕駆動バネの付勢力により右回転をする。すると、先幕駆動レバー５３と連動している先幕１５０は、アパーチャー５１ａを覆っていた位置から、退避した位置へと走行する。この退避時のカメラの様子を図７、メカニカルシャッター５の様子を図８，９にそれぞれ示す。
【００７６】
Ｓ１１３では、撮像が開始され、メモリコントローラ２１により撮像素子６で受光される画像信号を読み込んでＳＤＲＡＭ４３に一時記録を開始する。
【００７７】
Ｓ１１４では、先幕１５０の走行（コイル５８の通電ＯＦＦ）からの時間経過を計測し、設定されたシャッタースピードに応じた時間が経過したか判定し、経過していなければ引き続き時間計測を行い、経過した時点でＳ１１５へ進む。
【００７８】
Ｓ１１５では、メカニカルシャッター５の後幕１６０を走行させるため、シャッター駆動回路２７により後幕コイル６６の通電をＯＦＦする。その結果、後幕ヨーク６５で発生していた電磁力が消滅して後幕ヨーク６５と後幕アマチャー６２との電磁的な吸引がなくなり、後幕駆動レバー６１は不図示の後幕駆動バネの付勢力により右回転をする。すると、後幕駆動レバー６１と連動している後幕１６０は、アパーチャー５１ａから退避した位置から、覆う位置へと走行する。
【００７９】
Ｓ１１６では、メモリコントローラ２１により撮像素子６で受光される画像信号の読み込みを終了し、ＳＤＲＡＭ４３に一時記録されている画像をメディア４８へ保存する。
【００８０】
Ｓ１１７では、モータ駆動回路２６によりモータを制御し、撮影光路から退避している主ミラー４とサブミラー７を、撮影光束をファインダー光学系へ反射し導く観察位置へ駆動（ミラーダウン）する。また、モータ駆動回路２６によりモータを通電制御し、チャージレバー５２を駆動してメカニカルシャッター５をチャージする。
【００８１】
Ｓ１１８では、電源ボタン３３を操作してカメラの電源がＯＦＦされたか判定し、ＯＦＦされていなければＳ１０２へ進み、次回の撮影に備え、ＯＦＦされていれば一連の撮影動作を終了する。
【００８２】
［セルフタイマー撮影］
次に、図６のフローチャートを参照して、上記Ｓ１０３においてライブビューがＯＮ且つセルフタイマー撮影モードがＯＮにされている場合のライブビュー／セルフタイマー撮影動作について説明する。
【００８３】
Ｓ２０１では、シャッター駆動回路２７により先幕コイル５８、後幕コイル６６に通電制御を行い、通電されると先幕ヨーク５７と先幕アマチャー５４、後幕ヨーク６５と後幕アマチャー６２がそれぞれ互いに吸着される。
【００８４】
Ｓ２０２では、モータ駆動回路２６によりモータを通電制御し、チャージレバー５２を駆動してメカニカルシャッター５をチャージ状態から解除する。この解除時のメカニカルシャッター５の様子を図２、図３に示す。
【００８５】
Ｓ２０３では、モータ駆動回路２６によりモータを制御し、主ミラー４とサブミラー７をミラーアップする。
【００８６】
Ｓ２０４では、メカニカルシャッター５の先幕１５０を走行させるため、シャッター駆動回路２７により先幕コイル５８の通電をＯＦＦする。その結果、先幕ヨーク５７で発生していた電磁力が消滅して先幕ヨーク５７と先幕アマチャー５４との電磁的な吸引がなくなり、先幕駆動レバー５３は不図示の先幕駆動バネの付勢力により右回転をする。すると、先幕駆動レバー５３と連動している先幕１５０は、アパーチャー５１ａを覆っていた位置から、退避した位置へと走行する。この退避時のカメラの様子を図７で、メカニカルシャッター５の様子を図８、図９に示す。
【００８７】
Ｓ２０５では、撮像が開始されメモリコントローラ２１により撮像素子６で受光される画像信号を読み込んでＳＤＲＡＭ４３に一時記録を開始する。
【００８８】
Ｓ２０６では、メモリコントローラ２１によりＳＤＲＡＭ４３に一時記録されている画像信号を液晶モニタ１４に連続的に表示することにより、ライブビューを開始する。
【００８９】
Ｓ２０７では、レリーズボタン３１が半押しされて、ＳＷ１がＯＮされたか判定し、ＯＮされていればＳ２０８へ進み、ＯＮされていなければ引き続きＳ２０７の判定を待ち、ＯＮ後Ｓ２０８へ進む。
【００９０】
Ｓ２０８では、所定のＡＦ動作を行う。
【００９１】
Ｓ２０９では、所定のＡＥ動作を行う。
【００９２】
Ｓ２１０では、レリーズボタン３１が全押しされて、ＳＷ２がＯＮされたか判定し、ＯＮされていればＳ２１１へ進み、ＯＮされていなければ引き続きＳ２１０の判定を待ち、ＯＮ後Ｓ２１１へ進む。
【００９３】
Ｓ２１１では、セルフタイマーのカウントを開始する。
【００９４】
Ｓ２１２では、メカニカルシャッター５の後幕１６０を走行させるため、シャッター駆動回路２７により後幕コイル６６の通電をＯＦＦする。その結果、後幕ヨーク６５で発生していた電磁力が消滅して後幕ヨーク６５と後幕アマチャー６２との電磁的な吸引がなくなり、後幕駆動レバー６１は不図示の後幕駆動バネの付勢力により右回転をする。すると、後幕駆動レバー６１と連動している後幕１６０は、アパーチャー５１ａから退避した位置から、覆う位置へと走行する。
【００９５】
Ｓ２１３では、Ｓ２１２でメカニカルシャッター５の後幕１６０がアパーチャー５１ａを覆う位置にあり、撮像素子６に受光される撮影光束が遮光されてしまうため、撮像素子６での画像信号の読み込み及びＳＤＲＡＭ４３への一時記録を停止する。更に、メモリコントローラ２１により液晶モニタ１４に表示していたＳＤＲＡＭ４３に一時記憶されていた画像信号の表示も停止することで、ライブビューを停止する。
【００９６】
Ｓ２１４では、モータ駆動回路２６によりモータを制御し、撮影光路から退避している主ミラー４とサブミラー７を、撮影光束をファインダーへと反射し導く観察位置へ駆動（ミラーダウン）する。
【００９７】
Ｓ２１５では、Ｓ２１１でカウントを開始したセルフタイマーカウントが、設定されているセルフタイマー時間（例えば、１０ｓ）に達したか判定し、達していればＳ２１６へ進み、達していなければ引き続きＳ２１５の判定を待つ。
【００９８】
Ｓ２１６では、モータ駆動回路２６によりモータを通電制御し、チャージレバー５２を駆動してメカニカルシャッター５をチャージ状態とし、Ｓ２１７に移行する。
【００９９】
Ｓ２１７〜Ｓ２２６は、上述したＳ１０８〜Ｓ１１７と同様であるので説明は省略する。
【０１００】
上記実施形態によれば、ライブビュー状態からのセルフタイマー撮影時に撮影指示（撮像開始指示）がなされた場合には、すぐさまメカニカルシャッターの後幕を走行させる。そして、所定時間経過後に再度メカニカルシャッターをチャージし、通常撮影シーケンスにより撮像を行うので、後幕の切れ特性の変化によるシャッターの走行精度の悪化を防止できる。
【０１０１】
また、セルフタイマー撮影指示がされた場合には、すぐさまライブビュー表示を停止することで、セルフタイマー撮影中の無駄な電力消費を抑制することができる。
【０１０２】
また、セルフタイマー撮影指示直後にメカニカルシャッターをチャージしてしまうと、撮影者がチャージ音をシャッター音と間違えて撮影が終了したと誤認することがある。このため、セルフタイマー撮影直前にメカニカルシャッターのチャージを行い、違和感の無い使用感を実現している。
【０１０３】
Ｓ２２６の後は、再びライブビュー／セルフタイマー撮影動作（Ｓ２０１）へ移行する。
【０１０４】
上記実施形態においては、Ｓ１０２で撮影モードをメカニカルシャッタースピード優先ＡＥに設定した例を説明したが、絞り優先ＡＥでも良い。この場合、設定された絞りと測光情報から求められたシャッタースピードで判定する。その他の撮影モードでも同様である。
【０１０５】
また、上記実施形態では、撮影者が撮像装置に接触せずに撮影開始の指示を行うことを可能にする遠隔撮影手段としてセルフタイマー撮影を例に説明したが、これはリモコン等を使用した他の遠隔撮影においても実現可能である。
【０１０６】
なお、リモコン等を使用した遠隔撮影の場合、或いはレリーズボタンを一気押し（ＳＷ２まで一気に押し込む）した場合、には、本実施形態で説明した図６におけるＳＷ１，ＳＷ２の区別はなくなる。
【０１０７】
具体的には、図６においてＳＷ１のあとにＡＦ，ＡＥが行われその後にＳＷ２が実行されているが、リモコンによる撮影指示、或いは一気押しの後にＡＦ，ＡＥを実行し、それからタイマーのカウントを行うようにすればよい。
【０１０８】
なお、ここで言うリモコンによる撮影は、メニュー画面等でリモコン撮影モードに設定することで、リモコン撮影可能な状態に設定してからリモコン撮影を行う。図６の処理フローに当てはめるとライブビューで構図を決めてから、リモコン撮影モードに設定し、リモコンによる撮影を行うことになる。
【０１０９】
尚、本発明の目的は、前述した実施形態の機能を実現するソフトウェアのプログラムコードを格納した記憶媒体（又は記録媒体）をカメラに供給ことによっても達成されることは言うまでもない。この場合、カメラのコンピュータ（又はCPUやMPU）が記憶媒体からプログラムコードを読み出して実行することによって達成される。
【０１１０】
本発明を上記記憶媒体に適用する場合、その記憶媒体には、先に説明した図５、図６の各フローチャートの処理を実行する制御プログラムや各種テーブルが格納されることになる。これらのプログラムコードは、例えば、アップデート可能なファームウェアとしても提供可能である。
【図面の簡単な説明】
【０１１１】
【図１】本発明に係る実施形態のデジタル一眼レフカメラの機械的構成の概略を示す断面図である。
【図２】本発明に係る実施形態のメカニカルシャッターの構成を示す正面図である。
【図３】本発明に係る実施形態のシャッター羽根の構成を示す背面図である。
【図４】本発明に係る実施形態のデジタル一眼レフカメラの電気的構成を示すブロック図である。
【図５】本発明に係る実施形態のデジタル一眼レフカメラの基本動作を示すフローチャートである。
【図６】本発明に係る実施形態のデジタル一眼レフカメラのライブビュー状態におけるセルフタイマー撮影動作を示すフローチャートである。
【図７】本発明に係る実施形態のデジタル一眼レフカメラのライブビュー状態における様子を示す断面図である。
【図８】本発明に係る実施形態のライブビュー状態におけるメカニカルシャッターの様子を示す正面図である。
【図９】本発明に係る実施形態のライブビュー状態におけるシャッター羽根の様子を示す背面図である。
【符号の説明】
【０１１２】
５  メカニカルシャッター
６  撮像素子
１４  液晶モニタ
５３  先幕駆動レバー
５４  先幕アマチャー
５７  先幕ヨーク
５８  先幕コイル
６１  後幕駆動レバー
６２  後幕アマチャー
６５  後幕ヨーク
６６  後幕コイル
６７  後幕ボビン
１５０  先幕
１６０  後幕
【図１】
2008278336.tif 000003
【図２】
2008278336.tif 000004
【図３】
2008278336.tif 000005
【図４】
2008278336.tif 000006
【図５】
2008278336.tif 000007
【図６】
2008278336.tif 000008
【図７】
2008278336.tif 000009
【図８】
2008278336.tif 000010
【図９】
2008278336.tif 000011